(57)【要約】【課題】    ペンキ塗り等の塗料塗布作業等において飛散する塗料等の付着や落下を防止する。【解決手段】    クリップ１と、クリップ１に固着された帯状板体２と、帯状板体２のシート取付部２ｂに取付けられたシート３とからなる。帯状板体２の先端２ｃは、クリップ１と共に物体６を挟持可能なように、クリップ１の一方の挟持体１１の基部１１ｂの内面側からもう一方の挟持体１２の挟持部１２ａの方に向けて突出して設けられている。クリップ１および帯状板体２をクリップ１によって庇設置場所において所定間隔をあけて複数取付け、このように複数の箇所に取付けたクリップ１および帯状板体２のそれぞれのシート取付部２ｂ間にシート３を張り渡して庇を形成する。【選択図】    図２
2006218439.tif 000002
【特許請求の範囲】
【請求項１】
物体を挟持可能なクリップ（１）と、前記クリップ（１）に固着された長尺体（２）と、前記長尺体（２）に取付け自在のシート（３）とを備え、前記長尺体（２）は、前記クリップ（１）に固着されている固着部（２ａ）と、前記クリップ（１）から突き出して設けられているシート取付部（２ｂ）とからなり、前記シート（３）は、前記長尺体（２）の前記シート取付部（２ｂ）に取付けられることを特徴とする着脱自在庇装置。
【請求項２】
前記長尺体（２）の前記固着部（２ａ）は、前記クリップ（１）の内側において、前記クリップ（１）を構成する２つの挟持体（１１）、（１２）のうちの一方の挟持体（１１）の内面側に固着され、更に、前記長尺体（２）が前記挟持体（１１）、（１２）と共に物体を挟持可能なように、前記長尺体（２）の先端（２ｃ）が、前記一方の挟持体（１１）の内面側からもう一方の挟持体（１２）の方に向けて突出して設けられている請求項１記載の着脱自在庇装置。
【請求項３】
前記クリップ（１）および前記長尺体（２）が前記クリップ（１）によって庇設置場所において所定間隔をあけて複数取付けられ、このように複数の箇所に取付けられた前記クリップ（１）および前記長尺体（２）のそれぞれの前記シート取付部（２ｂ）間に前記シート（３）が張り渡され、かくして庇が形成される請求項１または２記載の着脱自在庇装置。
【請求項４】
前記クリップ（１）および前記長尺体（２）を前記クリップ（１）によって庇設置場所に取付けたときに、前記長尺体（２）の前記シート取付部（２ｂ）がほぼ水平になるように、前記長尺体（２）は前記固着部（２ａ）と前記シート取付部（２ｂ）との境目において所定角度折れ曲がっている請求項１から３のうちの何れか１つに記載の着脱自在庇装置。
【請求項５】
前記クリップ（１）および前記長尺体（２）を前記クリップ（１）によって庇設置場所に取付けたときに、前記長尺体（２）の前記シート取付部（２ｂ）がほぼ水平になるように、前記クリップ（１）の挟持体（１１）、（１２）が所定角度折れ曲がっている請求項１から４のうちの何れか１つに記載の着脱自在庇装置。
【発明の詳細な説明】
【技術分野】
【０００１】
本発明は、ペンキ塗り等の塗料塗布作業等において、塗料や薬品等が建物や窓、雨戸等に付着しないように、塗料塗布作業等の作業現場（以下、「作業現場」という）に容易に庇（ひさし）を設けることができ、また、撤収も容易である着脱自在庇装置に関するものである。
【背景技術】
【０００２】
例えば、建物の周囲にペンキを塗る塗料塗布作業を行なう場合、作業現場から飛散した塗料や薬品等が建物の壁や窓、雨戸等に付着し、また、落下して建物の周囲に駐車中、通行中の自動車等の車両やその他の載置物、あるいは、通行人にも付着する。
【０００３】
従来の塗料付着防止対策として、建物の壁や窓、雨戸の外側にシートを貼り付けたり建物の周囲にシートを被覆することが行われている。また、自動車に直接シートを被せたり、建物の周囲に立入禁止スペースを設けて人の出入りを規制するなどの措置も行われている。
【０００４】
しかしながら、建物の壁や窓、雨戸等の外側にシートを貼り付けるのは手間がかかり、建物の周囲をシートで被覆するには、建物の外側に足場を設けねばならない。
【０００５】
駐車している自動車等の車両のそれぞれにシートをかけるのは手間がかかり、車両移動の際にシートを取外さねばならず、また、シートを取外すときにシートに付着している塗料等が外す人に付着する。
【０００６】
更に、人が建物に近付かないように建物の周囲をロープ等によって囲って立入禁止区域とすると、その区域が使用不能スペースとなり建物への入退場や通行の妨げとなる。
【０００７】
我々は上述の課題を解決するべく研究を重ねた結果、作業現場に庇を設けることにより、飛散した塗料等の付着や落下を防止することができることを見出した。
【発明の開示】
【発明が解決しようとする課題】
【０００８】
しかしながら、従来の庇は、雨の吹込み防止や、日除け、日差しの緩和が目的であり、ある程度の強度を必要とし、また、設置された場所にそのまま長期的に設けておくもので、設置期間が塗料塗布作業期間内のような短期間に限られるようなものではなかった。また、着脱を随時行うことを前提とするものではなかった。
【０００９】
従って、本発明の目的は、ペンキ塗り等の塗料塗布作業中に飛散した塗料等の付着や落下を防止することができ、塗料塗布作業期間内のような短期間の設置を目的とし、作業現場において容易に取付けることができ作業終了後は速やかに取外すことができる、着脱自在庇装置を提供することにある。
【課題を解決するための手段】
【００１０】
上記の課題を解決するために、本発明は以下の特徴を有する。
［１］  物体を挟持可能なクリップ（１）と、前記クリップ（１）に固着された長尺体（２）と、前記長尺体（２）に取付け自在のシート（３）とを備え、前記長尺体（２）は、前記クリップ（１）に固着されている固着部（２ａ）と、前記クリップ（１）から突き出して設けられているシート取付部（２ｂ）とからなり、前記シート（３）は、前記長尺体（２）の前記シート取付部（２ｂ）に取付けられる着脱自在庇装置。
［２］  前記長尺体（２）の前記固着部（２ａ）は、前記クリップ（１）の内側において、前記クリップ（１）を構成する２つの挟持体（１１）、（１２）のうちの一方の挟持体（１１）の内面側に固着され、更に、前記長尺体（２）が前記挟持体（１１）、（１２）と共に物体を挟持可能なように、前記長尺体（２）の先端（２ｃ）が、前記一方の挟持体（１１）の内面側からもう一方の挟持体（１２）の方に向けて突出して設けられている前記［１］記載の着脱自在庇装置。
［３］  前記クリップ（１）および前記長尺体（２）が前記クリップ（１）によって庇設置場所において所定間隔をあけて複数取付けられ、このように複数の箇所に取付けられた前記クリップ（１）および前記長尺体（２）のそれぞれの前記シート取付部（２ｂ）間に前記シート（３）が張り渡され、かくして庇が形成される前記［１］または［２］記載の着脱自在庇装置。
［４］  前記クリップ（１）および前記長尺体（２）を前記クリップ（１）によって庇設置場所に取付けたときに、前記長尺体（２）の前記シート取付部（２ｂ）がほぼ水平になるように、前記長尺体（２）は前記固着部（２ａ）と前記シート取付部（２ｂ）との境目において所定角度折れ曲がっている前記［１］から［３］のうちのいずれか１つに記載の着脱自在庇装置。
［５］  前記クリップ（１）および前記長尺体（２）を前記クリップ（１）によって庇設置場所に取付けたときに、前記長尺体（２）の前記シート取付部（２ｂ）がほぼ水平になるように、前記クリップ（１）の挟持体（１１）、（１２）が所定角度折れ曲がっている前記［１］から［４］のうちの何れか１つに記載の着脱自在庇装置。
【発明の効果】
【００１１】
１．本発明の着脱自在庇装置によれば、クリップから突き出した長尺体に取付けられたシートが庇となり、ペンキ塗り等の作業現場の下方において、ペンキ塗り等の塗料塗布作業中に飛散した塗料や薬品等が建物の壁や窓、雨戸等に付着したり下方に落下するのを防止することができる。
【００１２】
２．クリップ式のため、作業現場に容易に取付けることができ、作業の終了により容易に取外すことができる。
【００１３】
３．クリップ式のため、建物に設けられている突出部（被挟持物）を挟持することにより容易に固定することができ、ボルト止めや釘打ち作業を行なわずに庇を設置することができる。
【００１４】
４．長尺体の先端を、クリップを構成する一方の挟持体からもう一方の挟持体の方に向けて突出させて設けることにより、この突出した長尺体の先端がクリップの内側において、一方の挟持体と被挟持物（物体）との間にできる空間に介在する突っかい物となるため、被挟持物（物体）を挟持したクリップを、長尺体を水平に保持したままの状態で不動に固定することができる。
【００１５】
５．塗料塗布作業中に飛散した塗料等の付着や落下防止が目的なので、シートとしてビニール等の薄手で軽量のものを用いることができる。また、日除けや日差しの緩和が目的でないのでシートとしてビニール等の透明のものを用いることができる。
【００１６】
６．クリップおよび長尺体を庇設置場所において所定間隔をあけて複数の箇所に取付け、この複数の箇所に取付けたクリップおよび長尺体のそれぞれの長尺体間にシートを張り渡すという簡易な作業により容易に庇を形成することができる。
【００１７】
７．長尺体やクリップを所定角度折り曲げて構成することにより、クリップから長尺体を水平に突き出してシートを水平に張り出すことができる。このように突出部（被挟持物）の突出角度や形状等の状況に対応することができる。
【発明を実施するための最良の形態】
【００１８】
次に、本発明の実施の形態を図面を参照しながら説明する。
【００１９】
図１は、本発明の実施の形態を示す側面図、図２は、物体を挟持した状態で示す側面図、図３は、平面図、図４は、図３のＸ−Ｘ線断面図、図５は、斜視図、図６は、窓枠に設置された状態で示す側面図、図７は、正面図、図８は、平面図である。なお、図３、図５中の帯状板体２の目視できない部分、図３中の軸４、コイルばね５の目視できない部分を、説明のため点線によって示している。
【００２０】
図面に示すように、本発明の着脱自在庇装置は、クリップ１と、クリップ１に固着された帯状板体２と、帯状板体２に取付け自在のシート３とを備えている。
【００２１】
物体を両側から挟むためのクリップ１は、クリップ部材である２つの挟持体１１および１２により構成されている。挟持体１１、１２の先端部は幅方向に広がって挟持部１１ａ、１２ａが形成されている（図３、図５）。
【００２２】
挟持体１１、１２の基部１１ｂ、１２ｂの中央の幅方向両側には、重ね合わせ部１１ｃ、１２ｃが基部１１ｂ、１２ｂに対して内側に直角に折れ曲がって設けられている。基部１１ｂ、１２ｂの幅方向両側で重ね合わせ部１１ｃと１２ｃとが重なっており、この両側の重ね合わせ部１１ｃ、１２ｃを貫通して設けられた軸４によって、挟持体１１と１２とが回動可能に軸着されている。
【００２３】
軸４の周囲には、コイルばね５が巻き付けられており、このコイルばね５の両先端はそれぞれ基部１１ｂ、１２ｂの尾端部の内面側と当接している。かくして、コイルばね５のばね圧によりクリップ１が挟持部１１ａ、１２ａにおいて閉じる力、すなわち、挟持部１１ａと１２ａとが接近して物体６（図２）を挟持する力が与えられる。かくして、クリップ１は所定の庇設置場所において被挟持物（物体６）を挟持可能である。コイルばね５のばね圧によりクリップ１が閉じると、挟持体１１と１２との先端同士が接触し、挟持部１１ａと１２ａとの間に空間ができる（図１）。挟持部１２ａの内面側には滑り止めのゴム７が貼り着けられている。
【００２４】
帯状板体２は、幅よりも厚さの方が短い長尺体からなっている。本実施の形態では、このような帯状板体２を長尺体として用いる（図１〜５）。帯状板体（長尺体）２は、その一端部である固着部２ａが、クリップ１の内側において、一方の挟持体１１の基部１１ｂの内面側に固着されている。帯状板体２の残りの部分はクリップ１から突き出してシート取付部２ｂが形成されている。
【００２５】
クリップ１の一方の挟持体１１の基部１１ｂの内面側に固着部２ａが固着された帯状板体２の先端２ｃは、挟持体１１の基部１１ｂの内面側からもう一方の挟持体１２の挟持部１２ａの方に向けて突出して設けられている。帯状板体２の先端２ｃをこのように突出させることにより、図２に示すように、クリップ１の内側において、先端２ｃが一方の挟持体１１と物体６との間にできた空間に介在する突っかい物となって挟持体１１を支えることができる。これにより、クリップ１が図２に示す矢印Ａの方向に傾くのが防止され、物体６を挟持したクリップ１が物体６を挟持したまま帯状板体２のシート取付部２ｂを水平に保持したまま（図２、図６）の状態で不動に固定される。帯状板体２の先端２ｃに、滑り止めのゴムを被覆して設けてもよい（図示せず）。
【００２６】
帯状板体２は、クリップ１から突き出したシート取付部２が、ほぼ直線状態を維持できる硬度を有する材料からなっている。このような材料として、鋼等の金属、グラスファイバーやプラスチック等が挙げられるがこれらに限定されない。クリップ１から突き出したシート取付け部２ｂに多少の曲がり（彎曲）が生じても、シートの取付け、すなわち、庇の形成が可能であれば問題は無い。帯状板体２の厚さ（断面形状）やシート取付部２ｂの長さは、用いられた材料との兼ね合いで決定される。
【００２７】
また、帯状板体２のシート取付部２ｂは、継ぎ足しをすることができる構造としてもよい。これによりシート取付部２ｂの長さを可変とすることができる。
【００２８】
帯状板体２のシート取付部２ｂに、シート３を取付ける手段は特に限定されない。接着剤による貼り着けや固定冶具により固定する手段、あるいは、シート３の端部を折り畳んで帯状板体２を挿入できるように袋状にしておきそこにシート取付部２ｂを差し込み固定してもよい。
【００２９】
また、本発明は、ペンキ塗り等の塗料塗布作業中に飛散した塗料等の付着や落下を防止するのが主目的であり、シート３としてビニールのような薄手で軽量のものを用いることができる。また、日除けや日差しの緩和が目的でないので、ビニールのような透明のものを用いることができる。本実施の形態においては、シート３として透明のビニールシートが用いられている。
【００３０】
ペンキ塗り等の塗料塗布作業において、飛散した塗料等の付着や落下の防止効率を向上するために、庇をなるべく広く張り出すべく、シート３の張り出し方向は水平方向がよい。このため、帯状板体２のシート取付部２ｂは、なるべく水平に突き出されたほうがよい。しかしながら、庇設置場所（作業現場）における被挟持物の状態によって、クリップ１を取付ける状況は異なってくる。例えば、被挟持物として、図６に示すような窓枠９の上部の突出部９ａを利用するような場合には、該突出部９ａが鉛直下方に突出しているので、クリップ１を突出部９ａの下方から取付けねばならない。従って、シート取付部２ｂの突き出し方向を水平にもっていくために、本実施の形態においては、クリップ１および帯状板体２を折り曲げた構成としている。すなわち、クリップ１は、挟持体１１、１２の挟持部１１ａ、１２ａと基部１１ｂ、１２ｂとの境目において所定角度折れ曲がって設けられ、帯状板体２は、固着部２ａとシート取付部２ｂとの境目において所定角度折れ曲がって設けられている。このように、クリップ１および帯状板体２を折り曲げた構成とすることによって、シート取付部２ｂを水平に設けることができる。被挟持物（突出部）の状況によっては、クリップ１および帯状板体２のうちの何れか一方のみを上記の折れ曲がりを設けた構成としてもよい。
【００３１】
また、シート３を図２、図６に示すような水平でなく、所定の角度傾斜して張り出すこともできる。この場合は、クリップ１や帯状板体２の折れ曲がり角度を調整し、シート取付部２ｂが所定の傾斜角度で突き出すように設ければよい。
【００３２】
本実施の形態では、上記のように長尺体として帯状板体を用いているが、本発明においては、帯状板体の他にも、例えば、断面が円形や多角形の棒鋼のような中実の棒状体や、パイプのような中空の筒状体を用いることもできる。棒状体や筒状体の材料としても、金属、グラスファイバーやプラスチック等を用いることができる。棒状体の断面積やシート取付部の長さ、筒状体の口径、筒の厚さやシート取付部の長さは、用いられた材料との兼ね合いで決定される。
【００３３】
次に、本発明による庇の設定手順を説明する。帯状板体２が固着されている図１に示すクリップ１（以下、「クリップ１および帯状板体２」で説明する）を２組用意する。１組目のクリップ１および帯状板体２を、クリップ１によって被挟持物を挟持することにより庇設置場所に取付ける。次いで、２組目のクリップ１および帯状板体２を、１組目と所定間隔離れた位置に、クリップ１によって被挟持物を挟持して取付ける。このように所定間隔をあけて２箇所に取付けられた、１組目のクリップ１および帯状板体２のシート取付部２ｂと、２組目のクリップ１および帯状板体２のシート取付部２ｂとの間にシート３を張り渡す。このような簡単な作業により容易に庇が形成される。
【００３４】
また、本発明による、庇の他の設定手順を説明する。２組のクリップ１および帯状板体２のそれぞれのシート取付部２ｂに、予めシート３を取付けておく。そして、２組のクリップ１および帯状板体２を所定間隔をあけて庇設置場所に取付ける。これにより、シート３がそれぞれのシート取付部２ｂと２ｂとの間に張り渡され、庇が形成される。
【００３５】
本発明は、作業現場の広さや凹凸等の形状に応じて、クリップ１および帯状板体２を３組以上用意して３箇所以上に取付け、取付けた各箇所のシート取付部２ｂ間にシート３を張り渡せば広範囲に庇を設置することができる。
【実施例１】
【００３６】
次に、塗料塗布作業の現場において庇を設置する実施例を説明する。
【００３７】
図６〜８に示すように、本実施例においては、塗料塗布作業は窓枠９の上方で行なわれているものとする。窓枠９の上部には突出部９ａが設けられている（図６）。この突出部９ａを利用して庇を設置する。１０は雨戸である。
【００３８】
まず、帯状板体２が固着されているクリップ１（クリップ１および帯状板体２）を２組用意する。窓枠９の一方側の端部に１組目のクリップ１および帯状板体２を配し、クリップ１を開いて一方の挟持体１２ａを下方から雨戸１０と突出部９ａ（物体６）との隙間から差込み、図２、図６に示すように、挟持部１１ａ、１２ａと帯状板体２の先端２ｃとによって突出部９ａ（物体６）を挟持する。帯状板体２の先端２ｃが突っかい物として作用するためクリップ１が突出部９ａ（物体６）に不動に固定され、シート取付部２ｂがクリップ１から突き出して水平に設けられる。次いで、窓枠９の他方側の端部に２組目のクリップ１および帯状板体２を配し、同様にクリップ１により突出部９ａ（物体６）を挟持してシート取付部２ｂを水平に設ける。このようにして２組のクリップ１および帯状板体２を取付けたら、それぞれのシート取付部２ｂと２ｂとの間にシート３を張り渡して庇を形成する。
【図面の簡単な説明】
【００３９】
【図１】本発明の実施の形態を示す側面図である。
【図２】本発明の実施の形態を物体を挟持した状態で示す側面図である。
【図３】本発明の実施の形態を示す平面図である。
【図４】図３のＸ−Ｘ線断面図である。
【図５】本発明の実施の形態を示す斜視図である。
【図６】本発明の実施の形態に係る庇装置が窓枠に設置された状態を一部を断面で示す側面図である。
【図７】本発明の実施の形態に係る庇装置が窓枠に設置された状態を示す正面図である。
【図８】本発明の実施の形態に係る庇装置が窓枠に設置された状態を示す平面図である。
【符号の説明】
【００４０】
１  クリップ
１１、１２  クリップを構成する挟持体
１１ａ、１２ａ  挟持体の挟持部
１１ｂ、１２ｂ  挟持体の基部
１１ｃ、１２ｃ  挟持体の重ね合わせ部
２  帯状板体（長尺体）
２ａ  固着部
２ｂ  シート取付部
２ｃ  先端
３  シート
４  軸
５  コイルばね
６  物体
７  ゴム
８  建物
９  窓枠
９ａ  突出部
１０  雨戸
【図１】
2006218439.tif 000003
【図２】
2006218439.tif 000004
【図３】
2006218439.tif 000005
【図４】
2006218439.tif 000006
【図５】
2006218439.tif 000007
【図６】
2006218439.tif 000008
【図７】
2006218439.tif 000009
【図８】
2006218439.tif 000010